(57)【要約】  【課題】小型化軽量化に対応した誤嵌合防止構造を有したモジュール装置が得られるようにする。  【解決手段】コネクタ１２の一側壁２７上部を切り欠いて形成された少なくとも１箇所の凹部２５、または少なくとも１箇所の凹部２５と相互非対称位置に少なくとも１箇所の他の凹部を設け、このコネクタ１２の凹部２５と対応するモジュール１１のモジュール本体１３の部分に、係合凸部２６を設けたモジュール用コネクタ装置により実現できる。【選択図】図１
2006100189.tif 000002
【特許請求の範囲】
【請求項１】
基板上にモジュール本体を取り付けたモジュールと、該モジュールを組み込むための側壁によって囲まれた一端が開放された中空部及び該中空部の内面に前記基板側の接触子と電気接触を図る接触子を設けたコネクタとを備え、前記中空部内に組み込まれたモジュールを前記コネクタに嵌合させるためのモジュール用コネクタであって、
前記コネクタの一側壁上部を切り欠いて形成された少なくとも１箇所の凹部、または前記少なくとも１箇所の凹部と相互非対称位置に少なくとも１箇所の他の凹部を設け、前記コネクタの前記凹部と対応する前記モジュール本体の部分に、凸部を設けたことを特徴とするモジュール用コネクタ装置。
【請求項２】
上記コネクタの上記中空部は４内側面を有した桝状に形成され、該コネクタに組み込まれる上記モジュールの上記モジュール本体は略四角形のブロック状に形成されたことを特徴とする請求項１記載のモジュール用コネクタ装置。
【請求項３】
上記モジュールはカメラモジュールであることを特徴とする請求項１又は２記載のモジュール用コネクタ装置。
【発明の詳細な説明】
【技術分野】
【０００１】
本発明は、モジュール用コネクタ装置とその誤嵌合防止構造、及びこのコネクタ装置を用いたカメラモジュール用コネクタ装置に関するものであり、特に、メモリモジュール又はカメラモジュール等の各種モジュールをコネクタに組み込む際の誤嵌合防止構造を有したモジュール用コネクタロック装置及び該コネクタ装置を用いたカメラ用モジュール装置に関するものである。
【背景技術】
【０００２】
図３はモジュール１０１を示し、該モジュール１０１は、携帯電話等に実装するカメラモジュールである。該モジュール１０１は、略四角形のブロック状に形成されているモジュール本体１０３と、該モジュール本体１０２の上部に設けられたレンズ部１０３とで構成されている。そして、略四角形のモジュール本体１０２の４箇所の角部の１箇所は角を落とし面取りされたいわゆるＣ面１０２ｂが形成されている。また、モジュール本体１０２の角部近傍には、モジュール本体１０２の途中から上面までを連続して切り欠くことによって形成されている係合凹部１０２ａ，１０２ａ…が設けられている。更に、モジュール本体１０２の底面には、基板１０５が接着剤１０６で取り付けられ、該基板１０５の側面に接触子となる複数の接触パッド１０４がそれぞれ鉛直方向に形成されている。
【０００３】
図４は前記モジュール１０１を取り付けるためのコネクタ１１０を示し、該コネクタ１１０は上方開放の中空部１１０ａを備えた桝状体に形成され、且つ、該コネクタ１１０の底部１１０ｂは４側辺近傍が切欠されて開口部１１０ｃ，１１０ｃ…が形成され、該中空部１１０ａの内側面には鉛直方向に平行に接触端子となる複数のコンタクトピン１１１，１１１…が配設されている。
【０００４】
前記コネクタ１１０は、モジュール１０１の係合凹部１０２ａ，１０２ａ…に対応させて係合端子１１２，１１２…が設けられている。該係合端子１１２，１１２…は、略Ｕ字状に折曲されて一端が前記コネクタ１１０の中空部１１０ａ内側面に固着され、他端側の上端近傍には前記中空部１１０ａ側に突出する如く折曲された接触用突部１１２ａが形成されている。そして、該接触用突部１１２ａは、中空部１１０ａ内にモジュール１０１が所定の位置まで挿入されると、係合凹部１０２ａ，１０２ａ…に係合されて、モジュール１０１を抜け止めできるように成っている。なお、桝状体の中空部１１０ａの角部の１箇所に前記モジュール１０１のＣ面１０２ｂに対応する形状でＣ面１１０ｂが形成されている。
【０００５】
さらに、コネクタ１１０はプリント配線基板（図示せず）に実装され、コンタクトピン１１１には配線パターンを介在してモジュール装置の制御回路に接続される。このため桝状体のコネクタ１１０は配線パターンに正しく対応した位置に実装される必要がある。従って、モジュール１０１についても配線パターンに正しく対応した位置に接続される必要があり、誤った位置に嵌入されると制御回路が誤動作したり、最悪の場合制御回路が破壊される虞がある。このようにモジュール１０１がコネクタ１１０に嵌合される場合、誤嵌合防止構造を備えることが求められている。
【０００６】
そして、モジュール１０１をコネクタ１１０に取り付ける場合は、図４に示すように、モジュール１０１をコネクタ１１０の上側から中空部１１０ａ内に落とし込むようにして組み込む。この際モジュール１０１のＣ面１０２ｂがコネクタ１１０のＣ面１１０ｂに対峙されるように組み込む。この方向で組み込むことによって誤嵌合防止している。
【特許文献１】特開２００４−１１２２０３号公報
【発明の開示】
【発明が解決しようとする課題】
【０００７】
最近ではモジュール装置を搭載する機器の小型化軽量化に伴いモジュール装置を搭載するスペースも限定され、モジュール装置も小型化軽量化が要求されている。しかしながら、上述したように従来のモジュール装置では、モジュール１０１及びそれを接続するコネクタ１１０をさらに小型化するとＣ面を大きく取れない構造になっている。
【０００８】
そこで、小型化軽量化に伴うモジュール１０１とコネクタ１１０のそれぞれのＣ面同士の対峙による誤嵌合防止構造を有したモジュール用装置から生じる上記課題を克服し、小型化軽量化に対応した誤嵌合防止構造を有したモジュール装置が得られるようにするために解決すべき技術的課題が生じてくるのであり、本発明はこの課題を解決することを目的とする。
【課題を解決するための手段】
【０００９】
本発明は上記目的を達成するために提案されたものであり、請求項１記載の発明は、基板上にモジュール本体を取り付けたモジュールと、該モジュールを組み込むための側壁によって囲まれた一端が開放された中空部及び該中空部の内面に前記基板側の接触子と電気接触を図る接触子を設けたコネクタとを備え、前記中空部内に組み込まれたモジュールを前記コネクタに嵌合させるためのモジュール用コネクタであって、前記コネクタの一側壁上部を切り欠いて形成された少なくとも１箇所の凹部、または前記少なくとも１箇所の凹部と相互非対称位置に少なくとも１箇所の他の凹部を設け、前記コネクタの前記凹部と対応する前記モジュール本体の部分に、凸部を設けたことを特徴とするモジュール用コネクタ装置。
【００１０】
請求項２記載の発明は、上記コネクタの上記中空部は４内側面を有した桝状に形成され、該コネクタに組み込まれる上記モジュールの上記モジュール本体は略四角形のブロック状に形成されたモジュール用コネクタ装置を提供する。
【００１１】
請求項３記載の発明は、上記モジュールはカメラモジュールである請求項１又は２記載のモジュール用コネクタ装置を提供する。
【発明の効果】
【００１２】
請求項１記載の発明は、上記コネクタ側に凹部を設け、上記モジュール側に凸部を設けたあらゆる形状のモジュール用コネクタ装置について簡単、且つ確実に誤嵌合防止ができる。また、上記モジュールと上記コネクタの位置決めが正確にされる。
【００１３】
請求項２記載の発明は、あらゆるサイズの４内側面を有した桝状のモジュール用コネクタと略四角形のブロック状のモジュールについても簡単、且つ確実に誤嵌合防止ができる。
【００１４】
請求項３記載の発明は、この構成によれば、カメラモジュールとコネクタの間の誤嵌合防止が簡単、且つ確実に行うことのできる。
【発明を実施するための最良の形態】
【００１５】
以下、本発明に係るモジュール用コネクタ装置について、好適な実施例をあげて説明する。小型化軽量化に対応した誤嵌合防止構造を有したモジュール装置が得られるようにするという目的を、コネクタの一側壁上部を切り欠いて形成された少なくとも１箇所の凹部、または少なくとも１箇所の凹部と相互非対称位置に少なくとも１箇所の他の凹部を設け、コネクタの凹部と対応するモジュール本体の部分に、凸部を設けた構造にして実現した。
【００１６】
図１は本発明の一実施の形態であるモジュール装置を示し、図１は分解斜視図である。図１において、このモジュール装置１０は、モジュール１１と、該モジュール１１を機器に取り付けるコネクタ１２とで構成されている。
【００１７】
前記モジュール１１は、携帯電話等に実装するカメラモジュールである。該モジュール１１は、概略四角形のブロック状に形成されているモジュール本体１３と、該モジュール本体１３の上部に設けられたレンズ部１４とで構成されている。又、モジュール本体１３の相対向している一対の側壁１３ａ，１３ｂの左右のコーナ部近傍には、該モジュール本体１３の下面から上面までを連続して切り欠いて成る切欠部２０，２０…が設けられている。
【００１８】
更に、モジュール本体１３の底面には、基板１５が接着剤１６で取り付けられ、該基板１５の４側面に端子部となる複数の接触パッド２１，２１…（図１参照）がそれぞれ鉛直方向に形成されている。又、基板１５のコーナ部近傍はモジュール本体１３の切欠部２０，２０…の下側まで延出されており、この延出された部分で該切欠部２０，２０…の底面を形成した構造を成し、その切欠部２０，２０…の底面となる基板１５の上面部分を後述するバネフック１８，１８…と係合する係合部１７，１７…として使用する構造になっている。
【００１９】
前記コネクタ１２は、モジュール１１を組み込むための一端が開放された桝状をした中空部１９を有する樹脂製のコネクタ本体２２を備えている。又、コネクタ本体２２の底部２２ａは４側辺近傍が切り欠かれて開口２３，２３…が形成され、該中空部１９の内側面には鉛直方向に平行に接触子片となる複数のコンタクトピン２４，２４…（図１参照）が配設されている。
【００２０】
更に、中空部１９の相対向している側面１９ａ，１９ｂの左右のコーナ部近傍には、モジュール１１側の基板１５の係合部１７，１７…と対応して前記バネフック１８，１８…が設けられている。そして、該バネフック１８，１８…は、コネクタ本体２２の外周面を覆って該コネクタ本体２２に取り付けられているシールドケース２７から中空部１９内に延ばされており、中空部１９内に延ばされた自由先端側はコネクタ本体２２の底部２２ａに近づくに従って徐々に中空部１９の中心に近づくようにして傾斜し、中心側に向かって突出されている。尚、そのバネフック１８，１８…の各自由先端１８ａ，１８ａ…は、中空部１９内にモジュール１１が所定の位置まで挿入されると、係合部１７，１７…、すなわち基板１５の上面に係合されて、モジュール１１を抜け止めできるように成っている。
【００２１】
また、コネクタ本体２２の一側壁２７には、上面開口から底部２２ａに向かって連続して切り欠かれた係合凹部２５が設けられている。一方、コネクタ本体２２の一側壁２７の内側面１９ａと対応しているモジュール本体１３の一側壁１３ａには、係合凹部２５と誤嵌合防止された位置で係合可能な係合凸部２６が形成されている。また、該係合凸部２６は、モジュール１１がコネクタ１２の中空部１９内に一端開口より落とし込まれて組み込まれるとき、その組み込み動作に連動して係合凹部２５内に係合され、モジュール１１がコネクタ本体２２に対して水平方向に移動するのを規制するようにして設けられている。
【００２２】
図２は、このように構成されたモジュール装置１０において、モジュール１１をコネクタ１２に組み込む手順の一例を模式的に示す図である。図２を用いてモジュール１１をコネクタ１２に組み込む手順を次に説明する。まず、図２の（ｂ）に示すように、モジュール１１の係合凸部２６とコネクタ１２の係合凹部２５とを対応させて、コネクタ１２の上側から中空部１９内にモジュール１１を落とし込むようにして組み込む。その組み込み途中では、基板１５の下面がバネフック１８に当接する。
【００２３】
しかしながら、そのままモジュール１１を押し込んで行くと、バネフック１８は弾性変形されて外側に逃がされ、モジュール１１の押し込みを許容する。又、基板１５の下面が中空部１９内の底部２２ａに当接し、接触パッド２１，２１…とコンタクトピン２４，２４…とが当接された状態になる所定位置までモジュール１１が中空部１９内に組み込まれると、バネフック１８が自身の弾性力で係合部１７上に自己復帰され、バネフック１８の先端１８ａが係合部１７上、すなわち基板１５の上面に直に係合される。この係合により、モジュール１１の抜け止めが行われ、モジュール１１がコネクタ１２にロックされ、組み込みが完了する。このとき同時にこの組み込み完了状態で、コネクタ１２の係合凹部２５は一側壁２７の最上部に設けられ、基板１５の厚さより深く形成されているため、モジュール１１の係合凸部２６とコネクタ１２の係合凹所２５との係合がされ、誤嵌合防止も成されつつ完了する。図２の（ａ）は、この組み込みが完了したロック状態を示す。
【００２４】
また、組み込みが一度完了した状態において、コネクタ１２からモジュール１１を取り外す場合は、係合凹部２５の上方から例えばピンを挿入し、バネフック１８を係合部１７上の外側に逃がした状態で、モジュール１１を上側に引き抜くと、簡単に取り外すことができる。
【００２５】
尚、本発明は、本発明の精神を逸脱しない限り種々の改変を為すことができ、そして、本発明が該改変されたものに及ぶことは当然である。
【図面の簡単な説明】
【００２６】
【図１】本発明の一実施の形態を示し、カメラモジュール装置の分解斜視図
【図２】同上実施形態に係るカメラモジュール装置の組み込み手順の一例を説明する図で、（ａ）はコネクタにモジュールを組み込んだ後の状態を示す正面縦断面図、（ｂ）はコネクタにモジュールを組み込む前の状態を示す正面縦断面図
【図３】（ａ）従来のカメラモジュールの平面図（ｂ）前図（ａ）のカメラモジュールの正面図（ｃ）前図（ａ）のカメラモジュールの背面図（ｄ）前図（ａ）のカメラモジュールの左側面図（ｅ）前図（ａ）のカメラモジュールの右側面図（ｆ）前図（ａ）のカメラモジュールの底面図
【図４】（ａ）本発明の一実施の形態を示し、コネクタの平面図（ｂ）前図（ａ）のコネクタの正面図（ｃ）前図（ａ）のコネクタの右側面図（ｄ）前図（ａ）のコネクタの正面縦断面図
【図５】図３に示すカメラモジュールを図４に示すコネクタに組み込んだ状態を示す正面縦断面図
【符号の説明】
【００２７】
１０    モジュール用コネクタ装置
１１    モジュール（カメラモジュール）
１２    コネクタ
１３    モジュール本体
１３ａ  一側壁（モジュール）
１４    レンズ部
１５    基板
１６    接着剤
１７    係合部
１８    バネフック
１８ａ  先端
１９    中空部
２０    切欠部
２１    接触パッド
２２    コネクタ本体
２２ａ  底部
２３    開口
２４    コンタクトピン
２５    係合凹部
２６    係合凸部
２７    一側壁（コネクタ）
【図１】
2006100189.tif 000003
【図２】
2006100189.tif 000004
【図３】
2006100189.tif 000005
【図４】
2006100189.tif 000006
【図５】
2006100189.tif 000007